Podtech/llm-jp-corpus-v4-ja_patent huggingface dataset:
(57)【要約】      （修正有）【課題】浮体物のボールを一定の距離でクサリかひもで結束し、うち二箇所か四箇所ぐらいに磁石を結束しておく。一方浮体物と磁石は、これをドーナツ状の筒の中に入れ、筒の中は水を満たされている。筒の外はコイルがまかれ浮体物と磁石と反応して電気をおこす。そのために浮体物と磁石を回転させなければならない。浮体物は微妙な安定にあるわけで、そこで浮体物を一方向に回転させなければならない。【解決手段】浮体物を回転させる為には何らかの動力がしつようだけど、その動力を自然の力を利用することを考えた。空気を動力とする例では、自動車・オートバイ・自転車そして電車のはしる事により、前方より受ける風を一方向に受けぶつけることにより風の力を利用することにより浮体物・磁石を回転させる。なお磁石や、結束のクサリは水に濡れても良いようにコウテングすること必要です。【選択図】図１
2013090559.tif 000002
【特許請求の範囲】
【請求項１】
１  浮体物の回転で、電気をおこすしくみ。
２  電気自転車、電気オートバイ、電気自動車の前方に取り付け前方よりうける風を浮体物を回転、バッテリーに充電するもの。
３  船、電車の前方に取り付け、風をうけ浮体物を回転させ、電力を動力などに利用するもの。．
【発明の詳細な説明】
【０００１】この発明は、電機代を安くかつ無公害で使用するために，微妙な安定を保っている浮体物の一方になんらかの力、特に空気圧で回転させ筒の外側のコイルに反応させて電気を得るものである。
【背景技術】
【０００２】従来電気は、原子力の問題、太陽熱発電は天候の問題、風力発電は風しだい、火力発電は二酸化炭素の問題がつきまとっている。
【先行技術文献】
【０００３】
【発明の概要】
【０００４】従来電気はなんらかの形で地球に負担をかけてきた。風力発電は騒音や野鳥の激突など、の問題をかかえる。太陽発電は高くつく。
【課題を解決するための手段】
【０００５】浮体物に磁石を結束しそれを回転させ、ケースの外側もコイルに反応させて電気を起こそうとするもの。取り入れた空気は一方に吹きかけ、浮体物を回転を一方向に固定するもの。
【発明の効果】
【０００６】この発明により、まず予備の電気を準備しなければ成らない、医療機関などにおいて、危険物のガソリンを準備しておかなくてはならず、わずらわしかった。、またコストは安上がり．
外国へのインフラ輸出でも原料を買えない発展途上国には有利に働く。
また、地下発電も可能で燃料を用意することがなく発電できる。また地下農園も可能である。地産の農産物をすぐ食べられる。また最近とくに人気の悪い自動販売機の電気の使いすぎの問題も解決する。
【図面の簡単な説明】
【０００７】
【図１】  本発明の正面図である。
【図２】  本発明の応用図である。
【発明を実施するための形態】
【０００８】  筒の中の浮体物を回転させ、その中の一部を水に濡れても良いようにコーテングされた磁石を結束させ、筒の外側のコイルに反応させ発電するものです。
【符号の説明】
【０００９】１    浮体物
２    磁石
３    水
４    コイル
５    プラスチック（ほか金属とか、適切な物）
【図１】
2013090559.tif 000003
【図２】
2013090559.tif 000004
(57)【要約】      （修正有）【課題】常に架線とすり板の接触を水平状態に保つ機構を有する鉄道車両用パンタグラフを提供する。【解決手段】鉄道車両用シングルアーム形パンタグラフの枠組を構成する上枠の頂部と舟支え４の平衡状態を保持する平衡リンク７との間に、舟支え回転自在部５を設ける。また、パンタグラフの舟支え部に、回転作用を働かせるねじりゴムばね機構５−ｃを取り付けることで、舟体３が傾いた場合でも、動作に対する緩衝作用を有しつつ復元力を発生させ、架線１とすり板２の接触状態を水平な状態に戻す。さらに復元力による過剰な動作を制限するために、舟支え部にストッパ５−ｅを設ける。【選択図】図１
2013090369.tif 000002
【特許請求の範囲】
【請求項１】
シングルアーム形パンタグラフの枠組を構成する上枠の頂部と舟支えの平衡状態を保持する平衡リンクとの間に、舟支え回転自在部を設けることを特徴とする鉄道車両用パンタグラフ。
【請求項２】
前記の回転自在部にねじりゴムばね機構を使用することを特徴とする請求項１記載の鉄道車両用パンタグラフ。
【請求項３】
前記の回転自在部において、舟支えの傾きを制限するストッパを設けることを特徴とする請求項２記載の鉄道車両用パンタグラフ。
【発明の詳細な説明】
【技術分野】
【０００１】
本発明は、鉄道車両用パンタグラフに関するものである。
【背景技術】
【０００２】
鉄道車両用パンタグラフは、架線とすり板が接触することにより集電を行っているため、架線とすり板を常に水平状態で接触させる必要がある。
【０００３】
しかし、すり板および舟体に作用する外力により舟体が傾斜し、架線とすり板が偏った接触状態となる場合がある。
【０００４】
架線とすり板が偏った状態で接触している場合、すり板の偏摩耗等、車両用パンタグラフの集電性能を低下させる原因となり得る事象が発生する可能性がある。そのため、舟体が傾斜した場合、すり板と架線の接触を水平に近い状態で集電させる必要がある。
【０００５】
従来の車両用パンタグラフの中では、平衡リンクと舟支えの結合部を長穴形状とし、舟体が架線変動に連動し、架線との接触状態を一定に保持する機構を用いているものが存在するが、舟体傾斜に対する復元力がないため、すり板および舟体に外力が作用した場合、偏った接触状態となる。
【先行技術文献】
【特許文献】
【０００６】
【特許文献１】特開平７−３２２４０９号公報
【特許文献２】特開平８−３３１７０２号公報
【発明の概要】
【発明が解決しようとする課題】
【０００７】
すり板と架線の接触を常に水平に保つよう動作する機構はすでにあるが、動作に対して復元力を有する鉄道車両用パンタグラフを提供することである。
【課題を解決するための手段】
【０００８】
請求項１の発明は、シングルアーム形パンタグラフの枠組を構成する上枠の頂部と舟支えの平衡状態を保持する平衡リンクとの間に、舟支え回転自在部を設けることを特徴としている。
【０００９】
請求項２の発明は、前記の回転自在部にねじりゴムばね機構を使用することを特徴としている。
【００１０】
請求項３の発明は、前記の回転自在部において、舟支えの傾きを制限するストッパを設けることを特徴としている。
【発明の効果】
【００１１】
本発明により、常にすり板と架線の接触を水平に近い状態に保つことが可能となり、すり板の偏摩耗、集電性能の低下などの問題を解決できる。
【００１２】
回転自在部は、舟体と架線の間の寸法関係が変動しても、すり板上面が架線に対して常に水平状態となるよう、上枠頂部を中心に舟支えを自在に回転させることができる。
【００１３】
ゴムばね機構は、回転自在部に復元力を発生させ、舟の傾きに対し、復元力により、舟をすり板上面と架線が水平に接触することができる状態を維持することができる。
【００１４】
ストッパは、舟支えの回転自在部に回転の範囲を限定する機構と、回転動作に対し緩衝作用がはたらくことになる。
【図面の簡単な説明】
【００１５】
【図１】通常時の本発明の構成を示す図である。
【図２】舟体傾斜時の本発明の動作前の図である。
【図３】従来技術の構成を示す図である。
【発明を実施するための形態】
【００１６】
図１は本発明の構成を示す図である。
【実施例１】
【００１７】
図１は通常時の、本発明の構成を示す図である。
すり板2及び舟体3が傾斜しても、架線1とすり板2が水平に接触する状態を維持できるよう上枠6の頂部と平衡リンク7との間に舟支え回転自在部5を設け、傾斜時に上枠6の頂部を中心として発生する回転力への復元力を得るため、舟支え4と回転支持部(5-b)の間に、ねじりゴムばね機構(5-a),(5-c)を取り付ける。
回転自在部5には、過剰な回転動作を防止するために、回転範囲を限定できるよう、回転部(5-a)にストッパボルト(5-d)を、回転支持部(5-b)にゴムストッパ(5-e)を設ける。回転支持部にはゴム(5-c)を挿入する。
【００１８】
図２は、舟が傾斜している状態で片側の舟体がすり板と接触した状態での本発明を示す図である。
舟体の傾斜時には、舟支え4と平衡リンク7間が、ねじりゴムばね機構(5-a),(5-c)を介して、くの字の状態となる。その際、回転部(5-a)がゴム(5-c)に力を加えている状態となり、ゴム(5-c)の反発力により、回転力に対する復元力が発生し、図１の状態に戻す。
回転時にストッパボルト(5-d)とゴムストッパ(5-e)が接触することで、動作の範囲を限定する。
【００１９】
図３は、従来技術の鉄道車両用シングルアームパンタグラフの全体図を示す。
【符号の説明】
【００２０】
１    架線
２    すり板
３    舟体
４    舟支え
５    舟支え回転自在部
５−a      〃          回転部（ねじりゴムばね機構）
５−b      〃          回転支持部
５−c      〃          ゴム（ねじりゴムばね機構）
５−d      〃          ストッパボルト（ストッパ）
５−e      〃          ゴムストッパ（ストッパ）
６    上枠
７    平衡リンク
【図１】
2013090369.tif 000003
【図２】
2013090369.tif 000004
【図３】
2013090369.tif 000005
(57)【要約】【課題】  １つの物干し竿置きに、３つの物干し竿を設置出来る三連式物干し竿支持具を提供する。【解決手段】物干し竿ＡＢＣ（６、７、８）の両端付近に、３つの穴ＡＢＣ（２、３、４）を三角形状に配置した板（１）を１枚ずつ設置し、その穴ＡＢＣ（２、３、４）に３本の物干し竿ＡＢＣ（６、７、８）を通す。物干し竿Ａ（６）を物干し竿置き（５）に掛けることにより、残りの２本の物干し竿ＢＣ（７、８）が三連式物干し竿支持具により懸架されることを特徴とする。【選択図】図２
2013090887.tif 000002
【特許請求の範囲】
【請求項１】
三角形状に３つの穴ＡＢＣ（２、３、４）を配置した板（１）２枚により構成される三連式物干し竿支持具。
【発明の詳細な説明】
【技術分野】
【０００１】  この発明は１つの物干し竿置きに、３つの物干し竿を設置可能とする三連式物干し竿支持具に関するものである。
【背景技術】
【０００２】  従来、１つの物干し竿置きには１つの物干し竿が設置されていた。
【発明の概要】
【発明が解決しようとする課題】
【０００３】  しかしながら、狭い設置スペースしか確保出来ない場合は多くの物干し竿置きを設置することが出来ず、１度に干せる洗濯物の量が限られていた。
本発明は上記問題点を解消し、１つの物干し竿置きに、３つの物干し竿を設置出来る三連式物干し竿支持具を提供することをその課題とする。
【課題を解決するための手段】
【０００４】  物干し竿の両端付近に、３つの穴ＡＢＣ（２、３、４）を三角形状に配置した板（１）を１枚ずつ設置し、その穴に３本の物干し竿ＡＢＣ（６、７、８）を通す。うち三角形の頂点に位置する穴Ａ（２）に通した物干し竿Ａ（６）を物干し竿置き（５）に掛けることにより、残りの２本の物干し竿ＢＣ（７、８）が三連式物干し竿支持具により懸架される。
本発明は、以上の構成よりなる三連式物干し竿支持具である。
【発明の効果】
【０００５】  三連式物干し竿支持具により、１つの物干し竿置きに３本の物干し竿が掛けられることになり、１度に干せる洗濯物の量が大幅に増加する。物干し竿は三連式物干し竿支持具の穴に通してあるだけなので、穴から外して洗濯物を物干し竿に通すことも容易に出来る。
【図面の簡単な説明】
【０００６】
【図１】  本発明の斜視図である。
【図２】  本発明の利用説明図（斜視図）である。
【発明を実施するための形態】
【０００７】  以下、本発明を実施するための形態について説明する。
板（１）に三角形状に３つの穴ＡＢＣ（２、３、４）を配置する。
本発明は、以上の様な板２枚により構成される。
これを使用するときは、この３つの穴ＡＢＣ（２、３、４）に１本づつ物干し竿ＡＢＣ（６、７、８）を通し、この板（１）が物干し竿ＡＢＣ（６、７、８）の両端付近に配置されるようにする。うち三角形の頂点に位置する穴Ａ（２）に通した物干し竿Ａ（６）を物干し竿置き（５）に掛けることにより、残り２本の物干し竿ＢＣ（７、８）は三連式物干し竿支持具により懸架される。
【符号の説明】
【０００８】１    板
２    穴Ａ
３    穴Ｂ
４    穴Ｃ
５    物干し竿置き
６    物干し竿Ａ
７    物干し竿Ｂ
８    物干し竿Ｃ
【図１】
2013090887.tif 000003
【図２】
2013090887.tif 000004
(57)【要約】【課題】スポンジの上に設けた指サックに指を差し込むだけで、スポンジが手からはなれないため食器、調理器具、風呂、トイレ、車等を楽に洗ったり磨いたりすることができる指サック付スポンジを提供する。【解決手段】スポンジ（１）の上に先を切った指サック（２）（２）（２）を取り付けたことを特徴とする指サック付スポンジである。【選択図】図１
2013090896.tif 000002
【特許請求の範囲】
【請求項１】
スポンジ（１）の上に先を切った指サック（２）（２）（２）を取り付けたことを特徴とする指サック付スポンジ。
【発明の詳細な説明】
【技術分野】
【０００１】  この発明は、スポンジ（１）の上に先を切った指サック（２）（２）（２）を取り付けたことを特徴としたクリーナー。
【背景技術】
【０００２】  従来より、スポンジにゴム手袋が付いて使用するクリーナーがあった。
【先行技術文献】
【発明の概要】
【発明が解決しようとする課題】
【０００３】これには次のような欠点があった。
（イ）使用するたびに、ゴム手袋の中に手を入れたり出したりするのがわずらわしく手数がかかった。
（ロ）使用中手袋の中に水が入ったり、又使用後かわかすのに時間がかかるなど欠点があった。
本発明は、以上のような欠点をなくすためになされたものである。
【課題を解決するための手段】
【０００４】  スポンジ（１）の上に先を切った指サック（２）（２）（２）を設けたことを特徴としたものである。
本発明は、以上の構成よりなる指サック付スポンジである。
【発明の効果】
【０００５】  本発明は、指サック（２）（２）（２）に指を差し込むだけで、スポンジ（１）が手からはなれないためスポンジを持つ力がいらず、食器、調理器具、風呂、トイレ、車等を楽に洗ったり、磨いたりすることができる。又簡単にかわかすことができる。
【図面の簡単な説明】
【０００６】
【図１】本発明の平面図である。
【図２】本発明の断面図である。
【図３】本発明の斜面図である。
【発明を実施するための形態】
【０００７】以下、本発明を実施するための最良の形態について説明する。
スポンジ（１）の上に先を切った指サック（２）（２）（２）を設ける。
本発明は、以上のような構造である。
これを使用する時は、指サック（２）（２）（２）の中に指を差し込んで使用する。
【符号の説明】
【０００８】１  スポンジ
２  先を切った指サック
【図１】
2013090896.tif 000003
【図２】
2013090896.tif 000004
【図３】
2013090896.tif 000005
(57)【要約】【課題】全反射率低い一般の反射材（アルミ、アルマイトあるいはＰＥＴ等は、ＬＥＤ素子の光を均一かつ、高反射させることが不可能。したがってＬＥＤパネル照明の要件である「均一な光で、高照度」の反射材としては不適当。【解決手段】ＬＥＤパネル照明が必要とする「均一高照度」を可能にする、全反射率９５％「Ａ」クラス以上の反射材を導光板のバックライト反射材とし、かつパネル面を高照度とするためにＬＥＤケース内のＬＥＤ点灯方式を、直接照明と間接照明の組み合わせタイプとして、ケース内の反射材を銀被膜の反射材とし、ＬＥＤ素子のルーメンを最大限に利用する形状とする。【選択図】図１ｂ
2013080684.tif 000002
【特許請求の範囲】
【請求項１】
全反射率９５％、および銀被膜のアルミ反射材使用のＬＥＤパネル照明。
【請求項２】
前記の反射材による  請求項１のＬＥＤパネル照明ケース。
【発明の詳細な説明】
【技術分野】
【０００１】この発明は、ＬＥＤパネル照明の形状に関する。
【背景技術】
【０００２】従来のＬＥＤパネル照明の形状は、図２に示すように、ＬＥＤ素子をパネルの両端あるいは片側に「直接照明方式」で取り付け、導光板と反射材でパネル面を光らせる形状・構造であり、ＬＥＤ素子の構造やＬＥＤの光の特性を考慮したものでない。
【先行技術文献】
【特許文献】
【０００３】
【非特許文献】
【０００４】
【発明の概要】
【発明が解決しようとする課題】
【０００５】しかしながら、以上の技術によれば、ＬＥＤ素子の明るさは、従来の蛍光灯型のパネル照明の照度にすることは出来なかった。
また、従来のパネル照明は、ＬＥＤ素子の光をバックライト方式で、パネル背面に反射材を取り付け、導光板でパネル面全体を光らせる方式であるが、反射材の性能とその構造上の問題から、従来の蛍光管によるパネル照明と比べ同等の照度を出すことができない。
そこで、この発明は、この課題を解決し、ＬＥＤパネル照明が、従来の蛍光管パネル照明に替わる次世代の照明として、より消費電力の少ない、かつ照度の問題も解決し、主照明の一つとして様々な分野で利用出来るＬＥＤパネル照明を提供することを課題とする。
【課題を解決するための手段】
【０００６】  以上の課題を解決するために、第一発明は、反射材が、あらゆるＬＥＤの光を全反射率９５％程度以上の「Ａ」クラスとした。これを便宜的に「均一高反射」と呼ぶ。
また、第二発明は、照度の大幅な増加を目的に、ＬＥＤ素子を直接照明で導光板に反射させる形状から、銀被膜の反射材を集光タイプの形状に変え、ＬＥＤ素子を直接照明と間接照明の組み合わせとして導光板と組合せた。
【発明の効果】
【０００７】  第一発明によれば、従来のＬＥＤパネル照明用反射材の可視光線領域（５００〜１２５０ｎｍ）の全反射率（９０〜７５％と不均一）を、ＬＥＤ素子の色の違いに無関係に全反射率を９５％の「Ａ」クラスの均一な状態にすることができる。また、第二発明によれば、ＬＥＤパネルの照射面の照度を、最大３０％向上させることができる。これにより従来の蛍光管パネル照明と同程度の照度を実現させることが出来る。
【図面の簡単な説明】
【０００８】
【図１】  この発明の一実施形態を示す断面図である。
【図２】  従来技術を示す断面図である。
【発明を実施するための形態】
【０００９】  この発明の一実施形態を、図１に示す。
ＬＥＤパネル照明の反射材の本体はアルミ製であり、「均一高反射」を実現させるために、全反射率９５％以上のアルミ素材の反射材、あるいは材の中央部分に「銀被膜」を施している反射材とする。この本体とは別に、ＬＥＤ素子と組み合わせる反射ケースを、ＬＥＤ素子のルーメンを最大限に利用でき、照度向上に繋がる直接照明と間接照明の組み合わせタイプの形状とする。
【実施形態の効果】
【００１０】  この実施形態によれば、ＬＥＤ素子の光が反射ケース内の反射材に反射し、高照度になった状態で導光板裏面の反射材を屈折反射する事で、従来のＬＥＤパネル照明では不可能な「均一高反射」「高照度」な照明となる。
【図１ａ】
2013080684.tif 000003
【図１ｂ】
2013080684.tif 000004
【図２】
2013080684.tif 000005
(57)【要約】【課題】インターネットを介したジュエリーのショッピングにおいて、購入予定者が希望するジュエリーデザインを複数のジュエリーデザイナーが作成したジュエリーデザイン画から選択することができ、素材、宝石、宝石の種類、価格などを自由に設定できるジュエリーインターネットショップシステムを提供し、購入予定者の満足度を高める。【解決手段】インターネットを介したジュエリーのショッピングにおいて、購入予定者がジュエリーのデザインや概要をインターネット上から情報を提供すると、その情報が複数のジュエリーデザイナーにインターネットを介して届き、その情報をもとにジュエリーデザイナーがデザイン画を作成しインターネット上に送信すると、購入予定者にデザイン画がインターネットを介して送られ、多数の選択肢から購入予定者が好みのジュエリーデザインを選択して製品化できるジュエリーインターネットショップシステムを提供する。【選択図】なし【特許請求の範囲】
【請求項１】
インターネットを介したジュエリーのショッピングにおいて、購入予定者がジュエリーのデザインや概要、素材、宝石、宝石の質をある程度の情報にまとめ、絵や文字を使用してインターネット上から情報を提供すると、その情報が複数のジュエリーデザイナーにインターネットを介して届き、その情報をもとにジュエリーデザイナーがデザイン画を作成しインターネット上に送信すると、購入予定者にインターネットを介して送られ、多数の選択肢から購入予定者が好みのジュエリーデザインを選択して製品化できるジュエリーインターネットショップシステム。
【発明の詳細な説明】
【技術分野】
【０００１】
この発明はインターネットを介したジュエリーのショッピングにおいて、購入予定者がジュエリーのデザインや概要、素材、宝石、宝石の質をある程度の情報にまとめ、絵や文字を使用してインターネット上から情報を提供すると、その情報が複数のジュエリーデザイナーにインターネットを介して届き、その情報をもとにジュエリーデザイナーがデザイン画を作成し、購入予定者にデザイン画がインターネットを介して送られ、多数の選択肢から購入予定者が好みのジュエリーデザインを選択して製品化できるジュエリーインターネットショップシステムに関するものである。
【背景技術】
【０００２】
ジュエリーをインターネットで購入しようとすると、あらかじめデザインや宝石の質が決められたものを購入するか、自分の好みでデザインを調整する場合は実店舗での打ち合わせをしなければならない。
【０００３】
したがって、多様な購入予定者の満足度を現状のインターネットジュエリーショップでは高めることはできないでいる。
【０００４】
また、多様な購入者の多くは自分好みの製品を望んでいるため、こういった購入者の要求に応えるためには、販売者はより多くの製品を用意しておく必要があり負担が大きかった。
【先行技術文献】
【非特許文献】
【０００５】
楽天などのインターネットショップ
【発明の概要】
【発明が解決しようとする課題】
【０００６】
この発明は前述した問題点を解決するものであり、購入予定者も満足でき、販売者の製品種類負担なども軽減できる、ジュエリーのインターネットショップを提供するものである。
【課題を解決するための手段】
【０００７】
以上の課題を解決するため、購入者がインターネット上からジュエリーの概要を提供できるCGI等のプログラムをインターネット上に設置する。
【０００８】
この発明では、購入者がジュエリーの情報をインターネットを介して提供すると、複数のデザイナーからジュエリーのデザイン画の提供を受けることができる。
【０００９】
この発明では、購入者がどのようなジュエリーのデザインでもリクエストすることができる。
【００１０】
この発明では、購入者がジュエリーの宝石の品質を自由にリクエストすることができる。
【００１１】
この発明では、購入者がジュエリーの素材を自由ににリクエストすることができる。
【発明の効果】
【００１２】
この発明によれば、購入者が複数のデザイナーからデザイン画の提案を受けることができるため、満足度が高まる。
【発明を実施するための形態】
【００１３】
この発明のジュエリーのインターネットショップでは、購入予定者がジュエリーのデザインや概要、素材、宝石、宝石の質をある程度の情報にまとめ、、絵や文字を使用してインターネット上で提供すると、複数のジュエリーデザイナーからジュエリーのデザイン画の提案を受けることができる。
【００１４】
複数のジュエリーデザイン画を提案を受けた購入予定者は、その中から気に入ったデザイン画を選択し、完成品ジュエリーとして製作を依頼することができる。
【００１５】
［実施例１］
この発明のジュエリーのインターネットショップは、一般的なインターネットジュエリーショップと同じように多くの商品が陳列している。
【００１６】
しかし、購入者予定者がオリジナルデザインのジュエリーが欲しい場合、インターネット上のページの特定のボタンを選択し、購入予定者の希望するジュエリーの概要を、素材、宝石の種類、宝石の品質、価格などの概要を入力できる画面に移動する。
【００１７】
購入者予定者は、その画面で自分の欲しいジュエリーの概要を入力し、必要であれば画像や絵などを添付して送信ボタンを押す。
【００１８】
その情報がインターネットを介して複数のジュエリーデザイナーのもとに送られる
【００１９】
ジュエリーデザイナーはその情報をもとにデザイン画を作成し、インターネットを介して送ると、購入予定者に複数のジュエリーデザイナーの作成したデザイン画が送られ、購入予定者はその中から気に入ったデザインを選択し、ジュエリーを製作することができる。
【産業上の利用可能性】
【００２０】
この発明のジュエリーのインターネットショップは、購入予定者が自分の欲しいジュエリーデザインの情報を提供した後、複数のジュエリーデザインから選択できるので、購入予定者の満足度を高めることができるものである。
(57)【要約】【課題】インターネットを介したジュエリーのショッピングにおいて、購入予定者がジュエリーを購入する際、WEBページ上でマウス等を利用して自由自在にジュエリーデザインや宝石デザインを組み合わせ、自分好みの完成品ジュエリーを作成、購入できるようにする。【解決手段】インターネットを介したジュエリーのショッピングにおいて、購入予定者がジュエリーを購入する際、あらかじめWEBページ上に用意されたジュエリーの二次元デザインと、二次元宝石デザインを自由自在に組み合わせ、なおかつ素材、宝石の種類、宝石の質を選択し、おおよその二次元完成品デザインを作成することができ、その二次元完成品デザインをインターネットを介してインターネットジュエリーショップに送信することによって、完成品ジュエリーを作成できるようにするジュエリーインターネットシステムを提供する。【選択図】なし【特許請求の範囲】
【請求項１】
インターネットを介したジュエリーのショッピングにおいて、購入予定者がジュエリーを購入する際、あらかじめWEBページ上に用意されたジュエリーの二次元デザインと二次元宝石デザインを、WEBページ上でマウス等を利用して自由自在に組み合わせ、なおかつ素材、宝石の種類、宝石の質等を選択し、おおよその二次元完成品デザインを作成することができ、その二次元完成品デザインをインターネットを介してインターネットジュエリーショップ側送信することによって、購入予定者がデザインしたものと同じ完成品ジュエリーを作成できるジュエリーインターネットショップ自在カスタマイズシステム。
【請求項２】
請求項1に記載のジュエリーインターネットショップ自在カスタマイズシステムのジュエリーデザインが三次元である、請求項1に記載のジュエリーインターネットショップ自在カスタマイズシステム。
【発明の詳細な説明】
【技術分野】
【０００１】
この発明はインターネットを介したジュエリーのショッピングにおいて、購入予定者がジュエリーを購入する際、あらかじめWEBページ上に用意されたジュエリーの二次元デザインと、二次元宝石デザインを自由自在に組み合わせ、なおかつ素材、宝石の種類、宝石の質を選択し、おおよその二次元完成品デザインを作成することができ、その二次元完成品デザインをインターネットを介して送信することによって、完成品ジュエリーを作成できるジュエリーインターネットショップ自在カスタマイズシステムに関するものである。
【背景技術】
【０００２】
ジュエリーをインターネットで購入しようとすると、あらかじめデザインや宝石の質が決められたものを購入するか、自分の好みでデザインを調整する場合は実店舗での打ち合わせをしなければならない。
【０００３】
したがって、多様な購入予定者の満足度を現状のインターネットジュエリーショップでは高めることはできないでいる。
【０００４】
また、多様な購入者の多くは自分好みの製品を望んでいるため、こういった購入者の要求に応えるためには、販売者はより多くの製品を用意しておく必要があり負担が大きかった。
【先行技術文献】
【非特許文献】
【０００５】
楽天などのインターネットショップ
【発明の概要】
【発明が解決しようとする課題】
【０００６】
この発明は前述した問題点を解決するものであり、購入予定者も満足でき、販売者の製品種類負担なども軽減できる、ジュエリーのインターネットショップを提供するものである。
【課題を解決するための手段】
【０００７】
以上の課題を解決するため、購入予定者がWEBページ上から自分の好みの二次元ジュエリーデザインを作成することができるように、少なくとも数百種類の二次元ジュエリー枠デザインと、数十種類の二次元宝石デザインをWEBページに用意しておく。
【０００８】
この発明では、購入予定者が自分好みの二次元ジュエリーデザインをWEBページ上で自由自在に作成し、素材、宝石の種類、宝石の質を選択した後、インターネットを介して送信することによって、そのデザインと同じ完成品ジュエリーをショップ側が製作し購入予定者に提供することができる。
【０００９】
この発明では、購入予定者がどのようなジュエリーのデザインでもWEBページ上で作成しショップに製作リクエストすることができる。
【００１０】
この発明では、購入予定者がジュエリーの宝石の種類や品質を自由にショップ側にリクエストすることができる。
【００１１】
この発明では、購入予定者がジュエリーの素材を自由にショップ側にリクエストすることができる。
【発明の効果】
【００１２】
この発明によれば、購入予定者が自分の好みで自由自在に二次元ジュエリーデザインを作成した後、ショップ側に送信すると購入予定者が作成した二次元ジュエリーデザインと同じ完成品ジュエリーを購入できるので、オリジナルジュエリーという観点から購入予定者の満足度を高めることができる。
【発明を実施するための形態】
【００１３】
この発明のジュエリーのインターネットショップでは、購入予定者があらかじめWEBページに用意されている二次元ジュエリーデザインの枠をまず最初に選択し、その後に二次元宝石デザインを選択し、WEBページ上でマウス等を使用しながら、二次元宝石デザインを自由自在に複数個配置することができる。
【００１４】
購入予定者は自分の好みで作成した二次元ジュエリーデザインと素材、宝石、宝石の種類等を決定してショップ側に送信すると、購入予定者が作成した二次元ジュエリーデザインを元に、ショップ側が完成品ジュエリーとして製作して購入予定者に提供する。
【００１５】
［実施例１］
この発明のジュエリーのインターネットショップは、一般的なインターネットジュエリーショップと同じように多くの商品が陳列している。
【００１６】
しかし、購入者予定者が自分好みのオリジナルデザインのジュエリーが欲しい場合、WEBページ上の特定ボタンを押すと、リングやペンダント、またはブレスレットなどの土台デザインが現れる。
【００１７】
購入者予定者は、その画面で自分の欲しい二次元ジュエリーデザインを選択すると、自由自在に宝石などが配置できる画面へと移行する。
【００１８】
購入予定者は前記で選択した二次元ジュエリーデザインの土台に、好みの大きさの宝石を選択しマウス等を利用して自由自在に複数個配置することができる。
【００１９】
購入予定者は自分好みの二次元ジュエリーデザインが出来上がったら、素材や宝石の種類、宝石の品質などを選択し宝石が配置された二次元ジュエリーデザインが完成する、
【００２０】
その後に、購入予定者は完成した自分好みの二次元ジュエリーデザインをインターネットを介してショップ側に送信する。
【００２１】
前期の二次元ジュエリーデザインをインターネットを介して受け取ったインターネットジュエリーショップは、その二次元デザインを基に完成品ジュエリーを製作して購入予定者に販売する。
【産業上の利用可能性】
【００２２】
この発明のジュエリーのインターネットショップは、購入予定者が自分の欲しいジュエリーデザインを、WEBページ上で二次元ジュエリーデザインと二次元宝石デザインをマウス等を使用して自由自在に組み合わせて自分好みのジュエリーを発注することができるので、購入予定者の満足度は高い。
(57)【要約】【課題】  先端技術を使わず、画像又は文字，数字，数式を瞬間的に表示し、認識，記憶できたかといった対話を生み、動体視力，記憶力を高める。【解決手段】  重力を利用して、瞬間的に画像又は文字，数字，数式を窓枠の中で落下，又は上昇させて表示し、課題を解決する。  又、画像又は文字，数字，数式を固定し、窓枠の中に別の窓をスライドさせて、解決する方法も容易である。【選択図】図１
2013080190.tif 000002
【特許請求の範囲】
【発明の詳細な説明】
【技術分野】
【０００１】  本発明は瞬間画像による学習器に関する。
【背景技術】
【０００２】  従来、先端技術を使わず、瞬間的に一人が表示した画像や文字，数字，数式を、他者が認識，記憶し学習する器具がない。
【発明の開示】
【発明が解決しようとする課題】
【０００３】  本発明は、先生役をする者（以後、先生）が、瞬間的に示す画像又は文字，数字，数式を、他者（以後、生徒）が認識、記憶できたかどうかといった対話を生み、動体視力，記憶力を高めようとするものである。
【課題を解決するための手段】
【０００４】  本発明は重力を利用し、窓枠の中を瞬時に、画像又は文字，数字，数式を、落下又は上昇させて表示することによって、又は画像などを固定し、窓を滑らせて上記課題を解決する。
【発明の効果】
【０００５】  親子の対話，友人間の対話が減少している今、先生と生徒の立場になり、先生が瞬間的に示したものが、何であったか，何色だったかといった対話を生み、動体視力を高め、記憶力を刺激する効果がある。実際教室では、生徒たちが器具のそばに寄ってくる，今度は僕が先生だと競い合う，私達が、絵，文字，数字，数式を書きたい，といった反応が多く見られ、対話が膨らんでいる。
【図面の簡単な説明】
【０００６】
【図１】本発明の実施例を示す側断面図である。
【図２】本発明の別の実施例の側断面図である。
【発明を実施するための形態】
【０００７】  本発明は、図１に示されるように、透明なクリアポケット（クリアファイル）に入れた画像，文字，数字，数式などを、重力を利用して窓枠の中を通過させて表示する。
又は、図２のように画像などを固定させ、窓枠の中に別の窓を滑らせ、画像又は文字，数字，数式を瞬間的に表示するものである。
【実施例】
【０００８】    実際には、図１，図２の１に示す窓枠の中を、図１においては、２に示す画像又は文字，数字をクリアポケット３の中に入れたものを、つまみ４によって引き上げ、放して落下させることによって発明を実施している。つまみ４を持ったまま落下速度は自由に調節できる。２の画像，文字，数字，数式は、５枚，６枚とセットでき、取り替え可能である。
又、図２のように、画像，文字，数字を固定し、窓枠の中に別の滑り窓５を滑らせ、瞬間的に表示することも容易である。この場合、クリアポケット３は不要である。
【符号の説明】
【０００９】    １  窓枠
２  画像又は文字，数字，数式
３  クリアポケット
４  つまみ
５  滑り窓
【図１】
2013080190.tif 000003
【図２】
2013080190.tif 000004
【手続補正書】
【提出日】平成24年1月6日(2012.1.6)
【手続補正３】
【補正対象書類名】特許請求の範囲
【補正対象項目名】全文
【補正方法】変更
【補正の内容】
【特許請求の範囲】
【請求項１】
重力を利用し、画像又は文字，文章，数字，数式を表示し、動体視力，記憶力を高める学習器。
(57)【要約】【課題】スポーツ観戦などで、片手にメガホン、片手にウチワという光景がよくみられ、避難所でも、耳の不自由な方の耳に手をあてて、話しをしている光景がよく見られた。本発明は、声を伝達し、涼を得る用具を提供する。【解決手段】メガホンの形にカットした２枚の材料に、のりしろを設け先端両端部に丸みをつけ、中央部に折り目をつけ、補強のための材料を貼りつけた。【選択図】図１
2013080191.tif 000002
【特許請求の範囲】
【請求項１】
メガホンの形にカットした２枚の材料に、のりしろを設け、先端両端部に丸みをつけ、中央部に折り目を設け、２枚の材料に補強材を貼りつけたメガホンウチワ。
【発明の詳細な説明】
【技術分野】
【０００１】本発明は、スポーツ観戦及び避難所での使用に関する用具である。
【背景技術】
【０００２】従来スポーツ観戦にはメガホン、ウチワが多く用いられていた。
又、補聴器のかわりになるものが無かった。
【発明の開示】
【発明が解決しようとする課題】
【０００３】スポーツ観戦などで、片手にメガホン、片手にウチワという光景がよくみられ、避難所でも耳の不自由な方の耳に手をあてて、話しをしている光景がよく見られた。
本発明は以上の問題点を解決するためになされたものである。
【課題を解決するための手段】
【０００４】上記問題点を解決するため本発明は、メガホンの形にカットした２枚の材料に、のりしろを設け、先端両端部に丸みをつけ、中央部に折り目をつけ、補強のための材料を貼りつける。
以上の構成よりなるメガホンウチである。
【発明の効果】
【０００５】従来不可能とされていた観戦用具を本発明により可能にし、一層観戦を楽しむことができる。本発明は、観戦用具だけでなく、避難所での耳の不自由な方にも使用できる。
【発明を実施するための最良の形態】
【０００６】以下、本発明の実施の形態を説明する。
（イ）メガホン形の材料（１）をのりしろ（２）に貼り合せ中央に折り目（５）を入れる。
（ロ）メガホン形の材料（１）の先端両端に丸み（３）をつける。
（ハ）メガホン形の材料（１）に補強材（４）を貼りつける。
本発明は以上のような構造である。
本発明を使用するときは、メガホン形の材料（１）を折りたたんでいるときはウチワ状態になり涼を得ることができ、丸み（３）を押えれば開き、メガホン状態になり、遠くまで声が伝達できる。又、耳の不自由な方には直接メガホンを耳にあて話すことができる。
【図面の簡単な説明】
【０００７】
【図１】本発明の折りたたんだ斜視図
【図２】本発明の開いた斜視図
【符号の説明】
【０００８】（１）メガホン材料、（２）のりしろ、（３）丸み（４）補強材
（５）折り目
【図１】
2013080191.tif 000003
【図２】
2013080191.tif 000004
(57)【要約】【課題】  より多くの電気を取り出すことが可能な電池構造を提供する。【解決手段】  正負の電極板とセパレータとを有する電極板群の端部であるタブ２と、前記タブ２上に設けられ、前記タブ２と電気的に接続しているバックアップリード３と、前記タブ２の前記バックアップリード３が設けられている側の対向面側に設けられ、前記タブ２へと電気的に接続しているリード４と、を有し、前記リード４には段差Ｄが設けられていることを特徴としている。【選択図】  図１
2013080566.tif 000002
【特許請求の範囲】
【請求項１】
正負の電極板とセパレータとを有する電極板群の端部であるタブと、
前記タブ上に設けられ、前記タブと電気的に接続しているバックアップリードと、
前記タブの前記バックアップリードが設けられている側の対向面側に設けられ、前記タブへと電気的に接続しているリードと、
を有し、
前記リードには段差が設けられていることを特徴とする電池構造。
【請求項２】
前記リードの前記段差は、前記リードの端部から順に前記リードの厚みが厚くなるように形成されていることを特徴とする請求項１に記載の電池構造。
【請求項３】
前記タブと、前記バックアップリードと、前記リードとを溶接する溶接点は、前記段差毎に少なくとも一箇所設けられていることを特徴とする請求項１又は請求項２に記載の電池構造。
【発明の詳細な説明】
【技術分野】
【０００１】
本発明の実施形態は、電池構造に関する。
【背景技術】
【０００２】
近年では、ＡＶ機器あるいはパソコンや携帯型通信機器などの電子機器のポータブル化やコードレス化が急速に促進されており、これらの電子機器の駆動用電源としては、急速充電が可能で体積エネルギー密度および重量エネルギー密度がともに高く、小型軽量でかつ高容量の充放電可能な電池としてリチウム二次電池に代表される非水電解液二次電池が主流になりつつある。そして、利用される電子機器の多様化に伴い、高出力を求められるため、正負の極板にセパレータを挟んだ電極板群から取り出す電力を出来るだけ多くすることが望まれている。
【０００３】
従来では、電極板群から電力を取り出す場合、電極板群の端部であるタブと、二次電池の外部電極と電気的に接続しているリードとを接続する際に、抵抗溶接をおこなってタブとリードとを接続してきた。
【０００４】
また、複数点での抵抗溶接を行う際に、既に溶接された箇所へと通電して溶接が不完全にならないようにするために、溶接点と溶接点との間を一定の間隔で設けなければならなかった。
【先行技術文献】
【特許文献】
【０００５】
【特許文献１】特開１０−７９２４３号公報
【発明の概要】
【発明が解決しようとする課題】
【０００６】
しかし、従来の電池構造では、溶接点と溶接点との間隔を設けなければならないため、多くの溶接点を設けることが出来ず、多くの電気を取り出し難かった。
【０００７】
そこで本発明では、より多くの電力を取り出すことが可能な電池構造の提供を目的とする。
【課題を解決するための手段】
【０００８】
上記目的を達成するために、実施形態の電池構造は、正負の電極板とセパレータとを有する電極板群の端部であるタブと、タブ上に設けられ、タブと電気的に接続しているバックアップリードと、タブの前記バックアップリードが設けられている側の対向面側に設けられ、タブへと電気的に接続しているリードと、を有し、リードには段差が設けられていることを特徴としている。
【図面の簡単な説明】
【０００９】
【図１】本発明の実施形態に係る電池構造を示す断面図。
【発明を実施するための形態】
【００１０】
以下、本発明の実施形態に係る電池構造を、図面を参照して詳細に説明する。図１に示すように、本実施形態での電池構造１は、電極板群の端部であるタブ２と、タブ２上に設けられ、タブ２と電気的に接続しているバックアップリード３と、タブ２のバックアップリード３が設けられている側の対向面側に設けられ、タブ２にと電気的に接続しているリード４とが形成されている。
【００１１】
電極板群は、正負の電極板にセパレータを挟み、扁平形状に捲回したものである。なお、電極板群は扁平形状に限られることはなく、円筒形状のものや、平積みのものでもよい。また、正負の電極板は、金属箔に活物質ペーストを塗布し、乾燥・圧延等によって製造されている。また、セパレータは、絶縁性樹脂製のシートである。
【００１２】
タブ２は、正負の電極板の金属箔の端部であり、正極板に用いられている金属箔の端部と、負極板に設けられている金属箔の端部とが別々に引き出されているものである。
【００１３】
バックアップリード３は、タブ２上に設けられており、直接タブ２とリード３を抵抗溶接する場合、タブ２の一部が溶けて飛び散ってしまうため、それを防ぐために設けられている。また、バックアップリード３の材質としては、本実施形態では導電性の金属から形成されている。
【００１４】
リード４は、タブ２を介してバックアップリード３と電気的に接続しており、導電性の金属から形成されている。また、リード４は複数の段差Ｄが設けられており、各段差毎に少なくとも一箇所の抵抗溶接を行う溶接点Ｙが設けられている。
【００１５】
段差Ｄは、リード４の端部Ｅから順にリード４の厚みＴが厚くなるように形成されている。そして、リード４とタブ２を溶接する際には、リード４の端部Ｅ側へと向かって順に、バックアップリード３とリード４とを挟むように抵抗溶接用の電極５を配置し、押し付けながら溶接をおこなう。すなわち、リード４の厚みＴが厚い方から薄い方へと順に溶接を行う。
【００１６】
このように、リード４の端部Ｅから順にリード４の厚みＴが厚くなるように形成されることにより、リード４の厚みＴが厚い方から薄い方へと順に溶接を行う際に、既に溶接された溶接点へと電流密度の高い電流が流れ難くなる。そのため、隣り合う溶接点の間隔を狭くすることが可能となるため、より多くの溶接点を設けることが可能となる。また、多くの溶接点を設けられるようになることから、タブ２とリード４との接続抵抗が小さくなり、より多くの電力を取り出すことが可能となる。
【００１７】
以上、本実施形態によれば、正負の電極板とセパレータとを有する電極板群の端部であるタブ２と、タブ２上に設けられ、タブ２と電気的に接続しているバックアップリード３と、タブ２のバックアップリード３が設けられている側の対向面側に設けられ、タブへと電気的に接続しているリード４とを有し、リード４には段差Ｄが設けられている。これにより、より多くの溶接点を設けることが可能になるため、タブ２とリード４の接続抵抗が小さくなり、より多くの電力を取り出すことが可能となる。
【００１８】
本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００１９】
１…電池構造
２…タブ
３…バックアップリード
４…リード
５…電極
Ｄ…段差
Ｙ…溶接点
Ｅ…リードの端部
Ｔ…リードの厚み
【図１】
2013080566.tif 000003
(57)【要約】      （修正有）【課題】センサーのないような、おもちゃのロボットの自動制御を可能にする。【解決手段】制御したロボットをmicrosoft kinect（登録商標）で観測する。その時ロボット上の特徴点を観測画像のSIFT特徴量から決定する。特徴点の３次元座標をmicrosoft kinect（登録商標）で決定する。これによりセンサーのないロボットでも自動制御が可能となる。【選択図】なし【特許請求の範囲】
【請求項１】
ロボットアームの三次元座標をmicrosoft kinectで決定することでロボットの制御を行う手法
【請求項２】
請求項１の制御を強化学習などの機械学習と統計処理によって行う方法
【請求項３】
請求項１の制御を人間が行った操作をまねることで行う方法
【請求項４】
請求項１の制御を機械学習や統計処理によらずに直接状態遷移を記述するプログラムで行う方法、および請求項２、３との複合方法
【請求項５】
microsoft kinectで得られた３次元画像情報を統計処理して農作物や昆虫などの生物の３次元位置を決定する方法
【発明の詳細な説明】
【技術分野】
【０００１】  本発明はセンサーを持たない簡易ロボットのコンピュータ制御とその応用に関するものである。
【背景技術】
【０００２】ロボットの制御にはセンサーによる腕の位置や角度の観測が必要となる。これらのセンサーを含まない格安のおもちゃなどとして販売されているロボットをmicrosoft kinectで観測することでセンサーの代用とする。そしてこの格安ロボットの自動制御を可能とする方法を提案する。その応用方法にも触れる。
【先行技術文献】
【非特許文献】
【０００３】
【非特許文献１】Q-learning による倒立振子制御  佐藤 直樹  法政大学  2004年度卒業研究
【発明の概要】
【発明が解決しようとする課題】
【０００４】  解決しようとする問題点は、高精細な制御のできないロボットでもmicrosoft kinectの観測情報を使うことでより制御制度を向上する方法の提案である。
【課題を解決するための手段】
【０００５】制御したロボットをmicrosoft kinectで観測する。その時ロボット上の特徴点を観測画像のSIFT特徴量から決定する。特徴点の３次元座標をmicrosoft kinectで決定する。これによりセンサーのないロボットでも自動制御が可能となる。
【発明の効果】
【０００６】おもちゃとして発売されている数万円以下のロボットやラジコンを実用可能な高精度制御が可能なロボットとすることができる。具体的には数万円のおもちゃとmicrosoft kinectの組み合わせで、作物の自動収穫や害虫の自動駆除が可能となる。
【発明を実施するための形態】
【０００７】コンピュータで動かせるロボットとコンピュータ、microsoft kinectで構成される。
【実施例１】
【０００８】約一万円で販売されているEK Japanのロボットアーム MR-999  http://www.elekit.co.jp/product/4d522d393939はusbでパソコンと接続することで制御することができる  http://s.webry.info/sp/mrsa.at.webry.info/200909/article_6.html。このような格安なロボットはセンサーを搭載しておらず、人間が目視で腕などの移動を確認しながら各部モーターの動きをボタンなどで制御するようになっている。この人間の目視を代用する方法としてロボット上にセンサーをつける方法が従来使われていた。このような可動部分の多いロボットの画像はSIFT特徴量などの自動抽出できる特徴点を多く持っている。この特徴点の３次元座標はmicrosoft kinectで観測することができる。結果的にロボットアームの各間接の3次元座標をリアルタイムで観測できる。この観測情報を使い、腕などの自動制御が可能となる。このシステムはソフトウェアを除くなら２万円以下で作ることができ格安である。【０００９】制御の方法としてはつかみたい目標物(農作物やナメクジなどの害虫など)との距離が最小となるようにモーターのオンオフを制御する。【００１０】アームの三次元座標をターゲット値、モーターのオンオフ情報を入力とした強化学習による制御も行うことができる。その具体的な方法は【非特許文献１】を拡張するだけである。
【００１１】前述の強化学習の入力につかみたい農作物や害虫の画像特徴料をターゲット値とすることもできる。特徴料とは具体的には色ヒストグラムやSIFT特徴量の方向ヒストグラムなどである。【００１２】強化学習だけでなく単純なニューラルネットワークなどの学習理論や関数近似方法はどれも使うことができる【００１３】学習理論や関数近似方法や統計処理などを使わずに直接モーターのオンオフの状態遷移プログラムを記述することもできる。特に工業製品のような規格化された形状の処理はこの方法が適している。【００１４】前述の実施例の応用例を示す。ミカンやトマトなどの果実はその形状や色から容易に画像情報のみで検出を行うことができる。その３次元座標もmicrosoft kinectの観測で容易に決定することができる。３次元座標が決定された目標物とのアーム先端の差が最小になるような制御を前述の機械学習や単純な最小二乗等で行い、アームでつかむことができる。つかんだアームを籠などに移動させる作業も同様の制御で行うことができる。
【実施例２】
【００１５】京商から発売されているラジコンのおもちゃ京商1/50油圧ショベル PC1250・8 もロボットアームの一種である。これはおもちゃとして作られているため、様々な印刷パターンがアーム上にある。そのためSIFT特徴量の観測が容易となっている。ロボットアーム MR-999と異なりキャタピラで自走移動することもできる。そのため畑の内部を移動しながらロボットアームとしての作業を行うことができる。制御の方法はMR-999と同様である。京商1/50油圧ショベル PC1250・8のロボットアームとしての加工は次の動画のように行う  http://www.youtube.com/watch?v=r8ju8HhzTww  この動画で人間が目視で行っているような操作もmicrosoft kinectで３次元座標を観測することで容易に自動化することができる。この動画中の作業をmicrosoft kinectで観測し、同じ作業をまねさせるプログラムも容易に作ることができる。
【産業上の利用可能性】
【００１６】農業の自動化だけでなく、既存のロボットが活躍する分野全てで利用可能である